(57)【要約】【課題】本発明は、光ディスクを筐体から強制的に排出する場合に光ディスクの径に関係なく、光ディスクの回転を短時間で制動することを実現した光ディスク装置およびその回転制御方法を提供することを目的とする。【解決手段】筐体に収納されたトレイと、トレイに載置された光ディスクを回転させる回転駆動手段と、光ディスクの回転数を検知する検知手段と、所定の操作により筐体からトレイを強制排出する排出手段と、を具備し、回転駆動手段は、筐体からトレイが強制排出される場合、排出過程にあるトレイに載置された光ディスクの回転数が所定値以下になるまで光ディスクの回転を制御し、光ディスクの回転数が所定値以下になると光ディスクの回転制御を停止する構成とした。【選択図】図１
2008090986.tif 000002
【特許請求の範囲】
【請求項１】
筐体に収納されたトレイと、
前記トレイに載置された光ディスクを回転させる回転駆動手段と、
前記光ディスクの回転数を検知する検知手段と、
所定の操作により前記筐体から前記トレイを強制排出する排出手段と、を具備し、
前記回転駆動手段は、前記筐体から前記トレイが強制排出される場合、排出過程にあるトレイに載置された光ディスクの回転制御をすることを特徴とする光ディスク装置。
【請求項２】
筐体に収納されたトレイと、
前記トレイに載置された光ディスクを回転させる回転駆動手段と、
前記光ディスクの回転数を検知する検知手段と、
所定の操作により前記筐体から前記トレイを強制排出する排出手段と、を具備し、
前記回転駆動手段は、前記筐体から前記トレイが強制排出される場合、排出過程にあるトレイに載置された光ディスクの回転数が所定値以下になるまで前記光ディスクの回転制御をし、前記光ディスクの回転数が前記所定値以下になると前記光ディスクの回転制御を停止することを特徴とする光ディスク装置。
【請求項３】
前記回転駆動手段は、前記光ディスクの回転数が前記所定値以下になるまで断続的に前記光ディスクの回転をオン／オフする回転制御をすることを特徴とする請求項１乃至請求項２記載の光ディスク装置。
【請求項４】
前記回転駆動手段は、前記光ディスクの回転数が前記所定値以下になるまで段階的に前記光ディスクの回転を下げる回転制御をすることを特徴とする請求項１乃至請求項２記載の光ディスク装置。
【請求項５】
前記回転駆動手段は、前記強制排出の場合、前記光ディスクの回転数を記録または再生速度より遅い速度に回転制御することを特徴とする請求項１乃至請求項４記載の光ディスク装置。
【請求項６】
筐体に収納されたトレイと、
前記トレイに載置された光ディスクを回転させる回転駆動手段と、
前記光ディスクの回転数を検知する検知手段と、
所定の操作により前記筐体から前記トレイを強制排出する排出手段と、を具備し、
前記回転駆動手段は、前記筐体から前記トレイが強制排出されるときに前記光ディスクの回転制御を停止し、その後の光ディスクの回転数が所定値以上の場合、前記回転制御を再開し、前記光ディスクの回転数が前記所定値以下になるまで前記光ディスクの回転を制御し、前記光ディスクの回転数が前記所定値以下になると前記光ディスクの回転駆動を停止することを特徴とする光ディスク装置。
【請求項７】
前記回転駆動手段は、前記光ディスクの回転数が前記所定値以下になるまで断続的に前記光ディスクの回転をオンオフする回転制御をすることを特徴とする請求項６記載の光ディスク装置。
【請求項８】
前記回転駆動手段は、前記光ディスクの回転数が前記所定値以下になるまで段階的に前記光ディスクの回転を下げる回転制御をすることを特徴とする請求項６記載の光ディスク装置。
【請求項９】
前記回転駆動手段は、前記トレイに装着した光ディスクの径の判別手段を備え、
収納可能な最大径とは異なる径の光ディスクを積置されたトレイを排出するときに、前記回転制御をすることを特徴とする請求項１乃至請求項８記載の光ディスク装置。
【請求項１０】
前記回転駆動手段は、前記強制排出の場合、前記光ディスクの回転数を記録または再生速度より遅い速度に回転制御することを特徴とする請求項１乃至請求項９記載の光ディスク装置。
【請求項１１】
前記排出手段は、前記筐体内に前記トレイを保持する保持手段と、前記保持手段を解除する強制排出手段と、前記強制排出手段による前記保持手段の解除により前記筐体内から前記トレイを強制排出する排出手段とを備えたことを特徴とする請求項１または請求項１０記載の光ディスク装置。
【請求項１２】
トレイに載置された光ディスクが筐体に収納されて回転動作をしているとき、所定の操作により前記筐体から前記トレイを強制排出する動作を検出したら、
前記強制排出の排出過程にあるトレイに載置された前記光ディスクの回転数の回転を制御することを特徴とする光ディスク装置の回転制御方法。
【請求項１３】
トレイに載置された光ディスクが筐体に収納されて回転動作をしているとき、所定の操作により前記筐体から前記トレイを強制排出する動作を検出したら、
前記強制排出の排出過程にあるトレイに載置された前記光ディスクの回転数が所定値以下になるまで前記光ディスクの回転を制御し、前記光ディスクの回転数が前記所定値以下になると前記光ディスクの回転制御を停止することを特徴とする光ディスク装置の回転制御方法。
【請求項１４】
トレイに載置された光ディスクが筐体に収納されて回転動作をしているとき、所定の操作により前記筐体から前記トレイを強制排出する動作を検出したら、前記光ディスクの回転制御を停止し、その後の光ディスクの回転数が所定値以上の場合、前記光ディスクの回転数が前記所定値以下になるまで前記光ディスクの回転を再制御し、前記光ディスクの回転数が前記所定値以下になると前記光ディスクの回転制御を停止することを特徴とする光ディスク装置の回転制御方法。
【請求項１５】
前記光ディスクの回転数が前記所定値以下になるまで断続的に前記光ディスクの回転をオンオフする回転制御することを特徴とする請求項１２乃至請求項１４記載の光ディスク装置の回転制御方法。
【請求項１６】
前記光ディスクの回転数が前記所定値以下になるまで段階的に前記光ディスクの回転を下げる回転制御することを特徴とする請求項１２乃至請求項１４記載の光ディスク装置の回転制御方法。
【請求項１７】
前記トレイに装着した光ディスクの径が前記トレイに収納可能な最大径とは異なる光ディスクを積置されたと判断したときに前記回転制御をすることを特徴とする請求項１２乃至請求項１４記載の光ディスク装置の回転制御方法。
【請求項１８】
前記排出動作は、前記筐体内に前記トレイを保持する保持手段を解除する強制排出手段による前記保持手段の解除により前記筐体内から前記トレイを強制排出することを特徴とする請求項１２乃至請求項１４記載の光ディスク装置の回転制御方法。
【発明の詳細な説明】
【技術分野】
【０００１】
本発明は、回転する記録媒体に情報を記録または再生する光ディスク装置であって、特に回転する記録媒体を排出する際の回転を制動する光ディスク装置及びその回転制御に関するものである。
【背景技術】
【０００２】
近年、パーソナルコンピュータの外部記憶装置として、回転する光ディスクに情報を記録したり光ディスクの情報を読出して再生したりする光ディスク装置が搭載されているものが主流となっている。この光ディスク装置のなかでも、予めパーソナルコンピュータに搭載されているもののタイプは、小型・軽量な光ディスク装置を内蔵したものが多くなっており、通常の動作で光ディスクを着脱させるには、ユーザーが装置本体の前面のプッシュスイッチを操作して、筐体からトレイを排出して、排出したトレイに光ディスクを着脱させるようになっている。
【０００３】
このタイプの構成の光ディスク装置は、光ディスク装置の筐体から排出されるトレイにスピンドルモータを備えており、このスピンドルモータのターンテーブルに光ディスクを装着するようにさせる構造としている。
【０００４】
このような装置では、光ディスクを着脱するためにトレイを排出するときに、光ディスクを搬送するトレーとともにターンテーブルも光ディスクの着脱位置まで引き出されることになる。
【０００５】
このような構造の光ディスク装置においては、光ディスクを強制的に排出するときには排出すると同時にスピンドルモータの電源を停止しても、光ディスクは慣性によって回転したまま排出されることになり、ユーザーは或る程度回転数が小さくなるまで待つ必要がある。そこで、この強制排出のときの光ディスクの回転を制動するいくつかの技術が提案されている。例えば、排出（イジェクト）時の搬送時に、光ディスク筐体に固着された制動部材が光ディスクの側面に当接し、光ディスクの回転を停止させる技術があった（先行文献１）。
【０００６】
また、制動部材をスピンドルモータ当接させて、スピンドルモータを制動する構成があった（特許文献２）。
【０００７】
さらに、光ディスクがトレイ上で回転しながら排出されることがないように、回転停止状態を検出したあとで、排出するように制御する構成があった（特許文献３）。
【特許文献１】特開２００２−１９７７７９号公報
【特許文献２】特開２００５−３４６８１３号公報
【特許文献３】特開２００１−３１９４１１号公報
【発明の開示】
【発明が解決しようとする課題】
【０００８】
しかしながら、（特許文献１）では、光ディスク排出時において光ディスクの側面の筐体に固着された弾性体を接触させることによって光ディスクの回転を停止させており、例えば１２ｃｍＣＤは制動できるが、８ｃｍＣＤでは制動できないというという不都合があった。
【０００９】
また、（特許文献２）では、制動部材をスピンドルモータ当接させて、スピンドルモータを制動することによって、１２ｃｍＣＤでも８ｃｍＣＤでも制動できるが、装置の構成が複雑となる課題があった。
【００１０】
さらに、（特許文献３）では、光ディスクがトレイ上で回転しながら排出されることがないように、回転停止状態を検出したあとで、排出するように制御する構成であるが、スピンドルモータに停止命令をだしても、スピンドルモータは慣性で回りつづけるので停止までに時間がかかる課題があった。
【００１１】
本発明は、このような問題点を解決し、光ディスクを筐体から強制的に排出する場合に光ディスクの径に関係なく、光ディスクの回転を短時間で制動することを実現した光ディスク装置およびその回転制御方法を提供することを目的とする。
【課題を解決するための手段】
【００１２】
かかる問題を解決するため、本発明は、筐体に収納されたトレイと、トレイに載置された光ディスクを回転させる回転駆動手段と、光ディスクの回転数を検知する検知手段と、所定の操作により筐体からトレイを強制排出する排出手段と、を具備し、回転駆動手段は、筐体からトレイが強制排出される場合、排出過程にあるトレイに載置された光ディスクの回転数が所定値以下になるまで光ディスクの回転を制御し、光ディスクの回転数が所定値以下になると光ディスクの回転制御を停止するものである。
【発明の効果】
【００１３】
本発明の光ディスク装置は、トレイを前記筐体から排出するとき、排出過程にあるトレイに載置された光ディスクの回転数が所定値以下になるまで光ディスクの回転を制御し、光ディスクの回転数が所定値以下になると光ディスクの回転制御を停止することにより、強制排出過程のときに、光ディスクが記録動作や再生動作のときの高速回転をする状態が慣性で継続するのを制動することができるので、トレイ排出後に安全に光ディスクを取り扱うことができるようになる。また、電気的に回転数を制動するので、機構にて制動している部材の磨耗も減らすので、寿命の長い光ディスク装置およびその回転制御方法を提供できるようになる。
【発明を実施するための最良の形態】
【００１４】
請求項１記載の発明は、筐体に収納されたトレイと、トレイに載置された光ディスクを回転させる回転駆動手段と、光ディスクの回転数を検知する検知手段と、所定の操作により筐体からトレイを強制排出する排出手段と、を具備し、回転駆動手段は、筐体からトレイが強制排出される場合、排出過程にあるトレイに載置された光ディスクの回転制御をするものである。
【００１５】
この構成によれば、光ディスクが回転中のときに筐体からトレイが強制排出される場合、排出過程にあるトレイに載置された光ディスクの回転制御をすることにより、強制排出過程のときに、光ディスクが記録動作や再生動作のときの高速回転をする状態が慣性で継続するのを制動するので、トレイ排出後に安全に光ディスクを取り扱うことができるようになる。
【００１６】
請求項２記載の発明は、筐体に収納されたトレイと、トレイに載置された光ディスクを回転させる回転駆動手段と、光ディスクの回転数を検知する検知手段と、所定の操作により筐体からトレイを強制排出する排出手段と、を具備し、回転駆動手段は、筐体からトレイが強制排出される場合、排出過程にあるトレイに載置された光ディスクの回転数が所定値以下になるまで光ディスクの回転を制御し、光ディスクの回転数が所定値以下になると光ディスクの回転制御を停止するものである。
【００１７】
この構成によれば、トレイを前記筐体から排出するとき、排出過程にあるトレイに載置された光ディスクの回転数が所定値以下になるまで光ディスクの回転を制御し、光ディスクの回転数が所定値以下になると光ディスクの回転制御を停止することにより、強制排出過程のときに、光ディスクが記録動作や再生動作のときの高速回転をする状態が慣性で継続するのを制動することができるので、トレイ排出後に安全に光ディスクを取り扱うことができるようになる。また、電気的に回転数を制動するので、機構にて制動している部材の磨耗も減らすので、寿命の長い光ディスク装置を提供できるようになる。
【００１８】
請求項３記載の発明は、請求項１乃至請求項２記載の発明において、回転駆動手段は、光ディスクの回転数が所定値以下になるまで断続的に光ディスクの回転をオン／オフする回転制御をするものである。
【００１９】
この構成によれば、光ディスクの回転数が所定値以下になるまで同一の回転制御の値で、断続的に光ディスクの回転をオン／オフする回転制御することにより、回転制御を実施する毎に光ディスクが慣性で回転するのを検知できるので、回転制御を停止したあとの光ディスクが慣性により回り続けるの制動し排出のあとで安全に光ディスクを取扱うことができるようになる。
【００２０】
請求項４記載の発明は、請求項１乃至請求項２記載の発明において、回転駆動手段は、光ディスクの回転数が所定値以下になるまで段階的に光ディスクの回転を下げる回転制御をするものである。
【００２１】
この構成によれば、光ディスクの回転数が所定値以下になるまで段階的に光ディスクの回転を下げる回転制御をすることにより、回転制御を実施する毎に光ディスクが慣性で回転するのを検知し所望の回転数まで制御できるので、回転制御を停止したあとの光ディスクが慣性により回り続けるの制動し排出のあとで安全に光ディスクを取扱うことができるようになる。
【００２２】
請求項５記載の発明は、請求項１乃至請求項４記載の発明において、回転制御は、光ディスクの回転数を記録または再生速度より遅い速度に駆動制御するものである。
【００２３】
この構成によれば、光ディスクの回転数を記録または再生速度より遅い速度にすることにより、排出時に光ディスクの回転数が低速の回転数となるので、回転停止までの時間を短縮できたりまた光ディスクに触れても安全に取扱うことができる光ディスク装置を提供できるようになる。
【００２４】
請求項６記載の発明は、筐体に収納されたトレイと、トレイに載置された光ディスクを回転させる回転駆動手段と、光ディスクの回転数を検知する検知手段と、所定の操作により前記筐体からトレイを強制排出する排出手段と、を具備し、回転駆動手段は、筐体からトレイが強制排出されるときに光ディスクの回転制御を停止し、その後の光ディスクの回転数が所定値以上の場合、光ディスクの回転数が所定値以下になるまで光ディスクの回転を再制御し、光ディスクの回転数が所定値以下になると光ディスクの回転制御を停止するものである。
【００２５】
この構成によれば、筐体からトレイが強制排出されるときに光ディスクの回転制御を停止し、その後の光ディスクの回転数が所定値以上の場合、光ディスクの回転数が所定値以下になるまで光ディスクの回転を再制御し、光ディスクの回転数が所定値以下になると光ディスクの回転制御を停止することにより、筐体からトレイが強制排出されるときに回転駆動手段の回転制御が停止し、慣性で一定の速度で光ディスクが回転を続けていれば、回転数を再度制御して回転数が所定値以下になるまで制動することができるので、トレイ排出後に安全に光ディスクを取り扱うことができるようになる。また、電気的に回転数を制動するので、機構にて制動している部材の磨耗も減らすので、寿命の長い光ディスク装置を提供できるようになる。
【００２６】
請求項７記載の発明は、請求項６記載の発明において、回転駆動手段は、光ディスクの回転数が所定値以下になるまで断続的に光ディスクの回転をオン／オフする回転制御するものである。
【００２７】
この構成によれば、請求項６記載の発明において、光ディスクの回転数が所定値以下になるまで同一の回転制御の値で、断続的に光ディスクの回転をオン／オフする回転制御することにより、回転制御を実施する毎に光ディスクが慣性で回転するのを検知できるので、回転制御を停止したあとの光ディスクが慣性により回り続けるの制動し排出のあとで安全に光ディスクを取扱うことができるようになる。
【００２８】
請求項８記載の発明は、請求項６記載の発明において、回転駆動手段は、光ディスクの回転数が所定値以下になるまで段階的に光ディスクの回転を下げる回転制御をするものである。
【００２９】
この構成によれば、光ディスクの回転数が所定値以下になるまで段階的に回転制御の値を小さくすることにより、回転制御を実施する毎に光ディスクが慣性で回転するのを検知し所望の回転数まで制御できるので、回転制御を停止したあとの光ディスクが慣性により回り続けるの制動し排出のあとで安全に光ディスクを取扱うことができるようになる。
【００３０】
請求項９記載の発明は、請求項１乃至請求項８記載の発明において、回転駆動手段は、トレイに装着した光ディスクの径の判別手段を備え、収納可能な最大径とは異なる光ディスクを積置されたトレイを排出するときに、回転制御をするものである。
【００３１】
この構成によれば、収納可能な最大径とは異なる光ディスクを積置されたトレイを排出するときに、回転制御をすることにより、慣性モーメントが大きい最大径の光ディスクにおいては機構での制動とし、慣性モーメントの小さい小径の光ディスクのときに回転制御を行うことができるので、最大径の光ディスクを制動する機構のみを備えればよく、光ディスク装置の機構を複雑にすることがなく簡易な構成で光ディスクの回転を制動することができるようになる。
【００３２】
請求項１０記載の発明は、請求項１乃至請求項９記載の発明において、排出手段は、筐体内に前記トレイを保持する保持手段と、保持手段を解除する強制排出手段と、強制排出手段による保持手段の解除により筐体内からトレイを強制排出する排出手段とを備えたものである。
【００３３】
この構成によれば、強制排出手段による保持手段の解除により筐体内からトレイを強制排出することにより、光ディスクが回転中に使用者が所望により強制排出を行っても、回転制御をして光ディスクの制動ができるので、トレイ排出後に安全に光ディスクを取り扱うことができるようになる。また、電気的に回転数を制動するので、機構にて制動している部材の磨耗も減らすことができるので、寿命の長い光ディスク装置を提供できるようになる。
【００３４】
請求項１１記載の発明は、請求項１乃至請求項１０記載の発明において、排出手段は、筐体内に前記トレイを保持する保持手段と、保持手段を解除する強制排出手段と、強制排出手段による保持手段の解除により筐体内から前記トレイを強制排出する排出手段とを備えたものである。
【００３５】
この構成によれば、強制排出手段による保持手段の解除により筐体内から前記トレイを強制排出することにより、電気的な制御ではなくても機構的に強制排出するときに、回転制御を行うことができるので、不用意に光ディスクが回転したまま強制排出しても、安全に光ディスクを取扱うことができるようになる。
【００３６】
請求項１２記載の発明は、トレイに載置された光ディスクが筐体に収納されて回転動作をしているとき、所定の操作により筐体からトレイを強制排出する動作を検出したら、強制排出の排出過程にあるトレイに載置された光ディスクの回転数の回転を制御するものである。
【００３７】
この方法によれば、光ディスクが回転中のときに筐体からトレイが強制排出される場合、排出過程にあるトレイに載置された光ディスクの回転制御をすることにより、強制排出過程のときに、光ディスクが記録動作や再生動作のときの高速回転をする状態が慣性で継続するのを制動するので、トレイ排出後に安全に光ディスクを取り扱うことができるようになる。
【００３８】
請求項１３記載の発明は、トレイに載置された光ディスクが筐体に収納されて回転動作をしているとき、所定の操作により筐体からトレイを強制排出する動作を検出したら、強制排出の排出過程にあるトレイに載置された光ディスクの回転数が所定値以下になるまで光ディスクの回転を制御し、光ディスクの回転数が所定値以下になると光ディスクの回転制御を停止するものである。
【００３９】
この方法によれば、トレイを前記筐体から排出するとき、排出過程にあるトレイに載置された光ディスクの回転数が所定値以下になるまで光ディスクの回転を制御し、光ディスクの回転数が所定値以下になると光ディスクの回転制御を停止することにより、強制排出過程のときに、光ディスクが記録動作や再生動作のときの高速回転をする状態が慣性で継続するのを制動することができるので、トレイ排出後に安全に光ディスクを取り扱うことができるようになる。また、電気的に回転数を制動するので、機構にて制動している部材の磨耗も減らすので、寿命の長い光ディスク装置を提供できるようになる。
【００４０】
請求項１４記載の発明は、トレイに載置された光ディスクが筐体に収納されて回転動作をしているとき、所定の操作により前記筐体からトレイを強制排出する動作を検出したら、光ディスクの回転制御を停止し、その後の光ディスクの回転数が所定値以上の場合、光ディスクの回転数が所定値以下になるまで光ディスクの回転を再制御し、光ディスクの回転数が所定値以下になると光ディスクの回転制御を停止するものである。
【００４１】
この方法によれば、筐体からトレイが強制排出されるときに光ディスクの回転制御を停止し、その後の光ディスクの回転数が所定値以上の場合、光ディスクの回転数が所定値以下になるまで光ディスクの回転を再制御し、光ディスクの回転数が所定値以下になると光ディスクの回転制御を停止することにより、筐体からトレイが強制排出されるときに回転駆動手段の回転制御が停止し、慣性で一定の速度で光ディスクが回転を続けていれば、回転数を再度制御して回転数が所定値以下になるまで制動することができるので、トレイ排出後に安全に光ディスクを取り扱うことができるようになる。また、電気的に回転数を制動するので、機構にて制動している部材の磨耗も減らすので、寿命の長い光ディスク装置を提供できるようになる。
【００４２】
請求項１５記載の発明は、請求項１２乃至請求項１４記載の発明のおいて、前記光ディスクの回転数が前記所定値以下になるまで断続的に前記光ディスクの回転をオン／オフする回転制御するものである。
【００４３】
この構成によれば、光ディスクの回転数が所定値以下になるまで断続的に光ディスクの回転を制御することにより、回転制御を実施したあとで光ディスクが慣性で回転するのを検知できるので、排出のあとでより安全に光ディスクを取扱うことができるようになる。
【００４４】
請求項１６記載の発明は、請求項１２乃至請求項１４記載の発明のおいて、前記光ディスクの回転数が前記所定値以下になるまで段階的に前記光ディスクの回転を制御するものである。
【００４５】
この構成によれば、光ディスクの回転数が所定値以下になるまで段階的に光ディスクの回転を下げる回転制御することにより、回転制御を実施したあとで光ディスクが慣性で回転するのを検知できるので、排出のあとでより安全に光ディスクを取扱うことができるようになる
請求項１７記載の発明は、請求項１２乃至請求項１４記載の発明において、前記トレイに装着した光ディスクの径のが前記トレイに収納可能な最大径とは異なる光ディスクを積置されたと判断したときに前記回転制御をするものである。
【００４６】
この構成によれば、収納可能な最大径とは異なる光ディスクを積置されたトレイを排出するときに、回転制御をすることにより、慣性モーメントが大きい最大径の光ディスクにおいては機構での制動とし、慣性モーメントの小さい小径の光ディスクのときに回転制御を行うことができるので、最大径の光ディスクを制動する機構のみを備えればよく、光ディスク装置の機構を複雑にすることがなく簡易な構成で光ディスクの回転を制動することができるようになる。
【００４７】
請求項１８記載の発明は、請求項１２乃至請求項１４記載の発明において、排出動作は、前記筐体内に前記トレイを保持する保持手段を解除する強制排出手段による前記保持手段の解除により前記筐体内から前記トレイを強制排出するものである。
【００４８】
この構成によれば、強制排出手段による保持手段の解除により筐体内からトレイを強制排出することにより、光ディスクが回転中に使用者が所望により強制排出を行っても、回転制御をして光ディスクの制動ができるので、トレイ排出後に安全に光ディスクを取り扱うことができるようになる。また、電気的に回転数を制動するので、機構にて制動している部材の磨耗も減らすことができるので、寿命の長い光ディスク装置を提供できるようになる。
【００４９】
（実施の形態１）
以下、本発明の実施の形態１について、図面を参照にしながら説明する。
【００５０】
図１は本発明の実施の形態１における光ディスク装置の斜視図、図２は本発明の実施の形態１における光ディスク装置の外観図で、筐体の天部を除去した図である。
【００５１】
図１および図２において、光ディスク装置１には筐体２及びトレイ３があり、図１は筐体２からトレイ３を引き出した状態を示している。
【００５２】
筐体２は天部２ａと底部２ｂから構成されている。トレイ３にはピックアップモジュール４が設けられている。ピックアップモジュール４には光学系を構成した光ピックアップ５と光ディスク２０を回転させるスピンドルモータ４ａ及び制御回路を構成する回路基板４ｃが構成されている。ピックアップモジュール４に設けられた光ピックアップ５はスピンドルモータ４ａに対して近づいたり離れたりする。スピンドルモータ４ａには光ディスク装着部４ｂがあり、光ディスク２０を装着し回転駆動させる。トレイ３の両側部にはレール部６があり、両側部共にレール７と光ディスク引き出し方向に摺動自在に嵌合している。また、レール７は筐体２両側部内面に設けられたレールガイド８とも光ディスク引き出し方向に摺動自在に嵌合しており、トレイ３は筐体２に対し挿抜自在である。トレイ３は筐体２から所定の長さだけ引き出されると筐体２に対して係止する。このときトレイ３に設けられた光ディスク装着部４ｂに光ディスク２０を装着もしくは取り外すことが可能である。トレイ３には押出部１２が設けられており、排出（イジェクト）動作時に押出部１２が筐体２を押すことにより、トレイ３は筐体２から飛び出す。
【００５３】
光ディスク装置１の動作中に使用者が強制的に光ディスク２０を強制排出（イジェクト）するのに、光ディスク装置１の前面に設けたベゼル２５にイジェクト穴２４を設けている。このイジェクト穴２４にピンなどを挿入することで、後にのべるように、筐体２とトレイ３がロック固定の状態が解除されて、筐体２から固定されたトレイ３を排出することができる。
【００５４】
光ディスク装置１は、光ディスク２０がＣＤ−ＲＯＭ、ＣＤ−Ｒ／ＲＷの高速タイプもしくはＤＶＤ等に対応しており、データ転送速度が速いもので、２０Ｍｂｐｓ以上のデータ転送速度を有するものである。筐体２の底部２ｂには制御回路を備える回路基板９が設けられており、トレイ３には制御回路を備える回路基板４ｃが設けられている。
【００５５】
回路基板９には、外部からの電力の供給と信号の入出力を行うコネクタ９ａ、トレイ３が排出されたのを検出するセンサーであるスイッチ２１ａ、２１ｂが２つ設けられている。
【００５６】
このスイッチ２１ａ、２１ｂによるトレイ３の装着状態の検出により、トレイ３が筐体２から引き出されるのを確実に検出し、レーザの発光を停止したり、光ディスク２０を装着したトレイ３排出をイジェクトするときのスピンドルモータ４ａの回転制御をする。
【００５７】
回路基板９と回路基板４ｃとは、フレキシブルプリント基板（ＦＰＣと呼ぶ）２２で接続されており、このＦＰＣ２２によって電気的導通が図られる。
【００５８】
電力系としては、スピンドルモータ４ａや、ピックアップモジュール４に設けられ光ピックアップ５を光ディスク２０の径方向に駆動するフィードモータ（図示せず）への電力供給及び光ピックアップ５に設けられた半導体レーザ（図示せず）への電力供給が有り、信号としては、光ディスク２０から読み取りまたは光ディスク２０に書き込むデータの信号や、スピンドルモータ４ａ、フィードモータ、半導体レーザを制御する信号がある。
【００５９】
また、光ディスク２０が回転しているときに、イジェクト穴２４よりピンなどでイジェクト部を押すと筐体２からトレイ３が強制イジェクトされる。このため、光ディスク２０の回転を停止させるのに、筐体２ｂの側面に弾性体２３を備えている。弾性体２３としては、ゴム材にフエルト又はスポンジ等を張り合わせた２層構造にしている。
【００６０】
筐体２にトレイ３が収納された状態から、排出される位置までの過程で、光ディスク２０の外周が、弾性体２３に接触することで制動されて回転が停止するようにしている。
【００６１】
従って、この弾性体２３による制動は、光ディスク２０がトレイ３に収納可能な最大径のときに有用である。例えば、直径が収納可能な最大直径が１２センチメートルおよびそれより小さい直径８センチメートル等の光ディスク２０を装着できる光ディスク装置１に対しては、直径１２センチメートルの回転の制動を弾性体２３にて制動することができる。
【００６２】
イジェクト穴２４よりピンにて強制イジェクトする構成に関して図を参照しながら説明する。
【００６３】
図３は、本発明の実施の形態１に係わる強制排出構造の図である。図３において、図３（ａ）は、筐体２にトレイ３が固定された図、図３（ｂ）は、強制排出（イジェクト）のときに筐体２からトレイ３が排出された図を示している。
【００６４】
図３（ａ）に示すように、光ディスク２０が筐体２に収納されるとき、即ちトレイ３が筐体２に収納されているときは、筐体２ａに設けた支柱３１とトレイ３のロックアーム２６とで固定される。
【００６５】
前述のベゼル２５のイジェクト穴２４からピン２９を挿入すると、イジェクトアーム２７を押し上げて、回転支持部２８ａを中心としてイジェクトアーム２７が回転する。
【００６６】
回転させたイジェクトアーム２７により、ロックアーム２６が回転支持部２８ｂを中心として回転することにより、ロックアーム２６の回転によって支柱３１とトレイ３との固定が解除され、トレイ３と筐体２ｂとがロック解除状態となる。
【００６７】
この状態で、図２の押出部１２が筐体２を押すことにより、トレイ３は筐体２から飛び出し、トレイ３に装着された光ディスク２０が筐体２から排出されることになる。
【００６８】
このとき前述のように、回路基板９に設けられたスイッチ２１ａ、２１ｂによって、排出を検出したらトレイ３が排出される過程にて、トレイ３が筐体から引き出されるのを確実に検出し、スピンドルモータ４ａの回転を制御する。
【００６９】
図４は、本発明の実施の形態１に係わる光ディスク装置のブロック図である。
【００７０】
光ディスク装置１は、光ディスク２０を回転させるスピンドルモータ４ａ、光ディスク２０に対して情報を記録および再生する光ピックアップ５、スピンドルモータ４ａおよび光ピックアップ５のコントロールするサーボモジュール３２、信号制御手段３７、ＣＰＵ３３、プログラムおよび制御データを記憶する記憶手段３４を有している。
【００７１】
信号制御手段３７では、光ディスク２０の径を検出する手光ディスク径検出手段３９と、強制排出処理が行われて、トレイ３が筐体２から排出されるのを検出する強制排出検出手段３６と、光ディスク２０の回転数を検出する回転数検出手段３８、強制排出のときにトレイ３が排出されるときに回転数を所定の回転数までさげる回転制御手段３５を備えている。また、タイマー手段４０は、光ディスク２０の回転制御をするときの回転制御時間を測定する。
【００７２】
光ディスク２０の径が、光ディスク装置１のトレイ３に装着可能な最大径の光ディスク即ち１２センチメートルの径ではないと判断する場合、強制排出を検出すると、現在の回転数が所定の回転数より大きかったら、スピンドルモータ４ａの回転数を低くなるように制御する。
【００７３】
強制排出のときにスピンドルモータ４ａが駆動されていなくて、現在の回転数が所定の回転数より大きかったら、再度スピンドルモータ４ａを駆動して、スピンドルモータ４ａの回転数を低くなるように制御する。
【００７４】
このようにすることで、光ディスク２０の径が最大径の光ディスク２０でないような径で弾性体２３での制御ができなくても、光ディスク２０が排出されるときに光ディスク２０を低速回転にすることで、回転停止までの時間を短縮できる。
【００７５】
なお、最大径の光ディスク２０を装着のときにかかる制御を行うと、排出のときに回転数が減少させることができるので、弾性体２３の磨耗を減らすことができるので有益である。
【００７６】
図５は、本発明の実施の形態１に係わる回転制御のフローチャートである。
【００７７】
強制排出に伴う回転制御処理が開始されると（Ｓ５０１）、光ディスク２０の径を検出する（Ｓ５０２）。強制排出処理が行なわれるのを監視し（Ｓ５０３）、強制排出処理が行われるとき、光ディスク２０の径が光ディスク装置１に取付ることができる最大の径の光ディスク２０かどうかを判断し（Ｓ５０４）、光ディスク２０の径が最大径の光ディスク２０と判断したら、回転制御をオフし（Ｓ５０８）、処理を終了する（Ｓ５０９）。このときは、光ディスク装置１の筐体２に設けた弾性体２３によって、トレイ３の排出過程で、制動させて、光ディスク２０の回転を停止させる。
【００７８】
光ディスク２０の径が最大径でないときは（Ｓ５０４）、光ディスク２０の現在の回転数を検出し（Ｓ５０５）、回転数が所定値より小さいかどうか比較し（Ｓ５０６）、光ディスク２０の回転数が所定値より小さくなければ、光ディスク２０の回転をアクティブにして回転を低速に制御し（Ｓ５０７）、（Ｓ５０５）に戻り処理を続ける。
【００７９】
回転数が所定値より小さくなれば（Ｓ５０６）、回転制御をオフし（Ｓ５０８）、処理を終了する（Ｓ５０９）。
【００８０】
なお、本発明の実施の形態１では、光ディスク２０の径を検出して、光ディスク２０の径が最大径のときには、回転制御を停止して処理を終了し、光ディスク装置１の筐体２に設けた弾性体２３によってトレイ３の排出過程で光ディスク２０の回転を制動させて光ディスク２０の回転を停止させる構成で説明したが、光ディスク２０の径にかかわらず、回転制御を実施してもよい。そのようにすることで、光ディスク２０の回転が小さくなり、弾性体２３の磨耗を減らすことができ、また弾性体２３をなくすこともできる。
【００８１】
（実施の形態２）
以下、本発明を実施するための実施の形態２について、図面を参照にしながら説明する。
【００８２】
図６は、本発明の実施の形態２に係わる回転制御のフローチャートである。
【００８３】
強制排出に伴う回転制御処理が開始されると（Ｓ６０１）、光ディスク２０の径を検出する（Ｓ６０２）。強制排出処理が行なわれるのを監視し（Ｓ６０３）、強制排出処理が行われるとき、光ディスク２０の径が光ディスク装置１に取付ることができる最大の径の光ディスク２０かどうかを判断し（Ｓ６０４）、光ディスク２０の径が最大径の光ディスク２０と判断したら、回転をオフとする回転制御をし（Ｓ６１１）、処理を終了する（Ｓ６１２）。このときは、光ディスク装置１の筐体２に設けた弾性体２３によって、トレイ３の排出過程で、制動させて、光ディスク２０の回転を停止させる。
【００８４】
光ディスク２０の径が最大径でないときは（Ｓ６０４）、低速回転にする回転制御値を設定し（Ｓ６０５）、光ディスク２０の現在の回転数を検出し（Ｓ６０６）、回転数が所定値より小さいかどうか比較し（Ｓ６０７）、設定した回転制御値で回転制御をオンし（Ｓ６０８）、所定時間制御したかどうか判断し（Ｓ６０９）、所定時間制御したら回転をオフにする制御をし（Ｓ６１１）、（Ｓ６０６）に戻り処理を続ける。
【００８５】
回転数が所定値より小さくなれば（Ｓ６０７）、処理を終了する（Ｓ６１２）。
【００８６】
なお、本発明の実施の形態２では、光ディスク２０の径を検出して、光ディスクの径が最大径のときには、回転制御を停止して処理を終了し、光ディスク装置１の筐体２に設けた弾性体２３によってトレイ３の排出過程で光ディスク２０の回転を制動させて光ディスク２０の回転を停止させる構成で説明したが、光ディスク２０の径にかかわらず、回転制御を実施してもよい。そのようにすることで、光ディスク２０の回転が小さくなり、弾性体２３の磨耗を減らすことができ、また弾性体２３をなくすこともできる。
【００８７】
（実施の形態３）
以下、本発明を実施するための実施の形態３について、図面を参照にしながら説明する。
【００８８】
図７は、本発明の実施の形態３に係わる回転制御のフローチャートである。
【００８９】
強制排出に伴う回転制御処理が開始されると（Ｓ７０１）、光ディスク２０の径を検出する（Ｓ７０２）。強制排出処理が行なわれるのを監視し（Ｓ７０３）、強制排出処理が行われるとき、光ディスク２０の径が光ディスク装置１に取付ることができる最大の径の光ディスク２０かどうかを判断し（Ｓ７０４）、光ディスク２０の径が最大径の光ディスク２０と判断したら、回転制御をオフし（Ｓ７１１）、処理を終了する（Ｓ７１２）。このときは、光ディスク装置１の筐体２に設けた弾性体２３によって、トレイ３の排出過程で、制動させて、光ディスク２０の回転を停止させる。
【００９０】
光ディスク２０の径が最大径でないときは（Ｓ７０４）、光ディスク２０の現在の回転数を検出し（Ｓ７０５）、回転数が所定値より小さいかどうか比較し（Ｓ７０６）、光ディスク２０の回転数が所定値より小さければ、処理を終了する（Ｓ７１２）。
【００９１】
光ディスク２０の回転数が所定値より小さくなければ、光ディスク２０の回転をこれまでの回転数より低速にするように回転制御の設定値を変更し（Ｓ７０７）、設定した制御値で回転制御をオンし（Ｓ７０８）、所定時間回転制御し（Ｓ７０９）、所定時間回転制御したら、回転制御をオフし（Ｓ７１０）、（Ｓ７０５）に戻り処理を続ける。
【００９２】
なお、本発明の実施の形態３では、光ディスク２０の径を検出して、光ディスク２０の径が最大径のときには、回転制御を停止して処理を終了し、光ディスク装置１の筐体２に設けた弾性体２３によってトレイ３の排出過程で光ディスク２０の回転を制動させて光ディスク２０の回転を停止させる構成で説明したが、光ディスク２０の径にかかわらず、回転制御を実施してもよい。そのようにすることで、光ディスク２０の回転が小さくなり、弾性体２３の磨耗を減らすことができ、また弾性体２３をなくすこともできる。
【００９３】
（実施の形態４）
以下、本発明を実施するための実施の形態４について、図面を参照にしながら説明する。
【００９４】
図８は、本発明の実施の形態４に係わる回転制御のフローチャートである。
【００９５】
強制排出に伴う回転制御処理が開始されると（Ｓ８０１）、光ディスク２０の径を検出する（Ｓ８０２）。強制排出処理が行なわれるのを監視し（Ｓ８０３）、強制排出処理が行われるとき、光ディスク２０が最大径の光ディスク２０かどうか判断し（Ｓ８０４）、最大径の光ディスク２０と判断したら処理を終了する（Ｓ８１０）。
【００９６】
光ディスク２０が最大径でなければ（Ｓ８０４）、回転制御をオフし（Ｓ８０５）、現在の回転数を検出し（Ｓ８０６）、光ディスク２０の回転数が所定値より小さいかどうか判断し（Ｓ８０７）、小さくなければ、再度光ディスク２０の回転をオンにし回転を低速に制御し（Ｓ８０８）、（Ｓ８０６）にに戻り処理を続ける。
【００９７】
回転数が所定値より小さくなれば（Ｓ８０７）、回転制御をオフにし（Ｓ８０９）、処理を終了する（Ｓ８１０）。
【００９８】
なお、本発明の実施の形態４では、光ディスク２０の径を検出して、光ディスク２０の径が最大径のときには、回転制御を停止して処理を終了し、光ディスク装置１の筐体２に設けた弾性体２３によってトレイ３の排出過程で光ディスク２０の回転を制動させて光ディスク２０の回転を停止させる構成で説明したが、光ディスクの径にかかわらず、回転制御を実施してもよい。そのようにすることで、光ディスク２０の回転が小さくなり、弾性体２３の磨耗を減らすことができ、また弾性体２３をなくすこともできる。
【００９９】
（実施の形態５）
以下、本発明を実施するための実施の形態５について、図面を参照にしながら説明する。
【０１００】
図９は、本発明の実施の形態５に係わる回転制御のフローチャートである。
【０１０１】
強制排出に伴う回転制御処理が開始されると（Ｓ９０１）、光ディスク２０の径を検出する（Ｓ９０２）。強制排出処理が行なわれるのを監視し（Ｓ９０３）、強制排出処理が行われるとき、回転制御をオフし（Ｓ９０４）、光ディスク２０が最大径の光ディスク２０かどうか判断し（Ｓ９０５）、最大径の光ディスク２０と判断したら処理を終了する（Ｓ９１１）。
【０１０２】
光ディスク２０が最大径でなければ（Ｓ９０５）、現在の回転数を検出し（Ｓ９０６）、光ディスク２０の回転数が所定値より小さいかどうか判断し（Ｓ９０７）、小さくなければ（Ｓ９０７）、再度光ディスク２０の回転をアクティブにして回転を低速に制御し（Ｓ９０８）、所定時間制御し（Ｓ９０９）、定時間制御したら、回転制御をオフとし（Ｓ９１０）、（Ｓ９０６）に戻り処理を続ける。
【０１０３】
回転数が所定値より小さくなれば（Ｓ９０７）、処理を終了する（Ｓ９１１）。
【０１０４】
なお、本発明の実施の形態５では、光ディスク２０の径を検出して、光ディスク２０の径が最大径のときには、回転制御を停止して処理を終了し、光ディスク装置１の筐体２に設けた弾性体２３によってトレイ３の排出過程で光ディスク２０の回転を制動させて光ディスク２０の回転を停止させる構成で説明したが、光ディスク２０の径にかかわらず、回転制御を実施してもよい。そのようにすることで、光ディスク２０の回転が小さくなり、弾性体２３の磨耗を減らすことができ、また弾性体２３をなくすこともできる。
【０１０５】
（実施の形態６）
以下、本発明を実施するための実施の形態６について、図面を参照にしながら説明する。
【０１０６】
図１０は、本発明の実施の形態６に係わる回転制御のフローチャートである。
【０１０７】
強制排出に伴う回転制御処理が開始されると（Ｓ９５１）、光ディスク２０の径を検出する（Ｓ９５２）。強制排出処理が行なわれるのを監視し（Ｓ９５３）、強制排出処理が行われるとき、回転制御をオフし（Ｓ９５４）、光ディスク２０が最大径の光ディスク２０かどうか判断し（Ｓ９５５）、最大径の光ディスク２０と判断したら処理を終了する（Ｓ９６２）。
【０１０８】
光ディスク２０が最大径でなければ（Ｓ９５５）、現在の回転数を検出し（Ｓ９５６）、光ディスク２０の回転数が所定値より小さいかどうか判断し（Ｓ９５７）、小さくなければ、回転制御の設定値をこれまでより低速回転となるように変更し（Ｓ９５８）、再度光ディスク２０の回転をアクティブにして回転を低速に制御し（Ｓ９５９）、所定時間制御を行い（Ｓ９６０）、所定時間制御したら回転制御をオフし（Ｓ９６１）、（Ｓ９５６）に戻り処理を続ける。
【０１０９】
回転数が所定値より小さくなれば（Ｓ９５７）、処理を終了する（Ｓ９６２）。
【０１１０】
なお、本発明の実施の形態６では、光ディスク２０の径を検出して、光ディスク２０の径が最大径のときには、回転制御を停止して処理を終了し、光ディスク装置１の筐体２に設けた弾性体２３によってトレイ３の排出過程で光ディスク２０の回転を制動させて光ディスク２０の回転を停止させる構成で説明したが、光ディスク２０の径にかかわらず、回転制御を実施してもよい。そのようにすることで、光ディスク２０の回転が小さくなり、弾性体２３の磨耗を減らすことができ、また弾性体２３をなくすこともできる。
【０１１１】
なお、本発明の実施の形態１から実施の形態６においては、回転制御により完全には停止しなくても低速にしたあとで、回転制御を停止すなわちスピンドルモータ４ａの駆動を停止して、トレイ３を排出することも可能である。これにより、停止までの待ち時間を短縮することができるし、また低速になれば安全に光ディスク２０を取扱うことができる。
【産業上の利用可能性】
【０１１２】
本発明にかかる光ディスク装置およびその回転制御方法は、強制排出過程のときに、光ディスクが記録動作や再生動作のときの高速回転をする状態が慣性で継続するのを制動することができるので、パーソナルコンピュータに搭載し、回転する記録媒体に情報を記録または再生する光ディスク装置として有用である。
【図面の簡単な説明】
【０１１３】
【図１】本発明の実施の形態１における光ディスク装置の斜視図
【図２】本発明の実施の形態１における光ディスク装置の外観図
【図３】本発明の実施の形態１に係わる強制排出構造の図
【図４】本発明の実施の形態１に係わる光ディスク装置のブロック図
【図５】本発明の実施の形態１に係わる回転制御のフローチャート
【図６】本発明の実施の形態２に係わる回転制御のフローチャート
【図７】本発明の実施の形態３に係わる回転制御のフローチャート
【図８】本発明の実施の形態４に係わる回転制御のフローチャート
【図９】本発明の実施の形態５に係わる回転制御のフローチャート
【図１０】本発明の実施の形態６に係わる回転制御のフローチャート
【符号の説明】
【０１１４】
１    光ディスク装置
２    筐体
３    トレイ
４    ピックアップモジュール
４ａ    スピンドルモータ
４ｂ    光ディスク装着部
４ｃ    回路基板
５    光ピックアップ
６    レール部
７    レール
８    レールガイド
９    回路基板
１２    押出部
２０    光ディスク
２１ａ、２１ｂ    スイッチ
２２    ＦＰＣ
２３    弾性体
２４    イジェクト穴
２５    ベゼル
２６    ロックアーム
２７    イジェクトアーム
２８    回転支持部
２９    ピン
３１    支柱
【図１】
2008090986.tif 000003
【図２】
2008090986.tif 000004
【図３】
2008090986.tif 000005
【図４】
2008090986.tif 000006
【図５】
2008090986.tif 000007
【図６】
2008090986.tif 000008
【図７】
2008090986.tif 000009
【図８】
2008090986.tif 000010
【図９】
2008090986.tif 000011
【図１０】
2008090986.tif 000012